(57)【要約】【課題】レンズ着脱時の操作感が悪化することを抑制する効果の持続性が高いカメラアクセサリーを提供すること。【解決手段】外部機器を撮像装置に着脱可能にするために撮像装置に設けられ、樹脂材料から構成されるマウントを覆うカメラアクセサリーであって、カメラアクセサリーを撮像装置に装着する際に、外部機器を撮像装置に装着した場合にマウントの清掃対象範囲に発生する塵埃を除去するために、清掃対象範囲に当接しながら移動する接触部を有する。【選択図】図８
2020046613.tif 000002
【特許請求の範囲】
【請求項１】
外部機器を撮像装置に着脱可能にするために前記撮像装置に設けられ、樹脂材料から構成されるマウントを覆うためのカメラアクセサリーであって、
前記カメラアクセサリーを前記撮像装置に装着する際に、前記外部機器を前記撮像装置に装着した場合に前記マウントの清掃対象範囲に発生する塵埃を除去するために、前記清掃対象範囲に当接しながら移動する接触部を有することを特徴とするカメラアクセサリー。
【請求項２】
前記清掃対象範囲は、前記撮像装置に設けられている、前記外部機器が前記撮像装置に取り付けられている場合に前記外部機器を押圧する押圧部と同一位相に形成されていることを特徴とする請求項１に記載のカメラアクセサリー。
【請求項３】
前記マウントは、前記外部機器に当接する、第１面と、前記第１面より径方向において外側に設けられた第２面と、を有し、
前記接触部は、前記第１面に当接することを特徴とする請求項１または２に記載のカメラアクセサリー。
【請求項４】
前記第１面と前記第２面との間には、前記第１面および前記第２面に対して凹である凹部が設けられ、
前記接触部は、前記清掃対象範囲を移動する際、前記凹部に前記塵埃を掃き出すことが可能な掃き出し面を有することを特徴とする請求項３に記載のカメラアクセサリー。
【請求項５】
前記接触部は、前記掃き出し面として、前記カメラアクセサリーを前記撮像装置に装着させる際に移動する方向に沿って径方向外側から径方向内側に傾斜する傾斜面を有することを特徴とする請求項４に記載のカメラアクセサリー。
【請求項６】
前記接触部は、弾性部材で形成されていることを特徴とする請求項４または５に記載のカメラアクセサリー。
【請求項７】
前記カメラアクセサリーは、第１の材質と、前記第１の材質および前記マウントの材質と帯電特性が異なる第２の材質とから構成され、
前記接触部は、前記第２の材質で構成され、
前記接触部は、第１接触面に形成され、前記カメラアクセサリーを前記撮像装置に装着する際に前記清掃対象範囲に当接し、
前記第１接触面は、前記カメラアクセサリーが前記撮像装置に装着されている場合に、前記清掃対象範囲に対向し、前記第１接触部に対して凹である退避部と、を有することを特徴とする請求項１から３のいずれか１項に記載のカメラアクセサリー。
【請求項８】
前記第１の材質は、ポリカーボネート樹脂であり、
前記第２の材質は、負の帯電特性を有するフッ化炭素樹脂であることを特徴とする請求項７に記載のカメラアクセサリー。
【請求項９】
前記第２の材質は、前記マウントと色味が異なることを特徴とする請求項７または８に記載のカメラアクセサリー。
【請求項１０】
前記マウントの色味は、黒色に近い暗色であり、
前記第２の材質の色味は、白色または明色であることを特徴とする請求項７から９のいずれか１項に記載のカメラアクセサリー。
【請求項１１】
前記マウントは、前記外部機器に当接する、第１面と、前記第１面より径方向において外側に設けられた第２面と、を有し、
前記接触部は、前記第１面に当接し、
前記接触部の径方向の幅は、前記第１面の径方向の幅より広いことを特徴とする請求項７から１０のいずれか１項に記載のカメラアクセサリー。
【請求項１２】
前記カメラアクセサリーを前記撮像装置に装着する際に、前記マウントの周方向に沿って形成された凸部に当接しながら移動する第２の接触部と、前記カメラアクセサリーが前記撮像装置に装着されている場合に、前記凸部に対向し、前記第２の接触部に対して凹である退避部と、を有する第２の接触面を更に有することを特徴とする請求項７から１１のいずれか１項に記載のカメラアクセサリー。
【発明の詳細な説明】
【技術分野】
【０００１】
本発明は、カメラアクセサリーに関し、特にカメラキャップに関する。
【背景技術】
【０００２】
従来、撮影レンズを交換可能なカメラのレンズ着脱機構として、バヨネット方式のマウントが提案されている。以下、カメラ側のマウントをカメラマウント、レンズ側のマウントをレンズマウントとする。カメラマウントの材質として強度の観点から金属が採用されることが多いが、カメラマウントが重くなってしまう。カメラマウントの材質として樹脂材料を採用した場合、レンズ着脱時にカメラマウントが削れ、削れカスがマウント面に固着してしまう。これにより、レンズ着脱時の操作感が悪化するおそれがある。特許文献１では、カメラマウントが削れることを抑制するために、潤滑油を含浸させたマウントキャップが開示されている。
【先行技術文献】
【特許文献】
【０００３】
【特許文献１】特開２０１５−１２１７４７号公報
【発明の概要】
【発明が解決しようとする課題】
【０００４】
しかしながら、特許文献１のマウントキャップでは、効果が持続しないという課題がある。
【０００５】
本発明は、レンズ着脱時の操作感が悪化することを抑制する効果の持続性が高いカメラアクセサリーを提供することを目的とする。
【課題を解決するための手段】
【０００６】
本発明の一側面としてのカメラアクセサリーは、外部機器を撮像装置に着脱可能にするために撮像装置に設けられ、樹脂材料から構成されるマウントを覆うカメラアクセサリーであって、カメラアクセサリーを撮像装置に装着する際に、外部機器を撮像装置に装着した場合にマウントの清掃対象範囲に発生する塵埃を除去するために、清掃対象範囲に当接しながら移動する接触部を有することを特徴とする。
【発明の効果】
【０００７】
本発明によれば、レンズ着脱時の操作感が悪化することを抑制する効果の持続性が高いカメラアクセサリーを提供することができる。
【図面の簡単な説明】
【０００８】
【図１】本発明の実施形態に係るカメラアクセサリーをカメラに装着した状態を示す図である。
【図２】カメラアクセサリーを外したカメラの状態を示す図である。
【図３】撮影レンズの斜視図である。
【図４】カメラマウントの分解状態を示す図である。
【図５】カメラマウントの正面図である。
【図６】マウントスプリングの正面図である。
【図７】カメラマウントの清掃対象範囲を示す図である。
【図８】マウントキャップの背面図である（実施例１）
【図９】マウントキャップがカメラに装着される際に、カメラマウントを清掃する方法を説明する図である（実施例１）。
【図１０】マウントキャップの背面図である（変形例１）。
【図１１】マウントキャップがカメラに装着される際に、カメラマウントを清掃する方法を説明する図である（変形例１）。
【図１２】カメラマウントの説明図である（実施例２）。
【図１３】マウントキャップの説明図である（実施例２）。
【発明を実施するための形態】
【０００９】
以下、本発明の実施形態について、図面を参照しながら詳細に説明する。各図において、同一の部材については同一の参照番号を付し、重複する説明は省略する。
【００１０】
図１は、本発明の実施形態に係るカメラアクセサリーであるマウントキャップ１００をカメラ（撮像装置）２００に装着した状態を示す図である。図２は、マウントキャップ１００を外したカメラ２００の状態を示す図である。図３は、撮影レンズ３００の斜視図である。なお、図１の座標軸は後述の説明で使用する方向を定義するものであり、矢印の方向をプラス方向としている。
【００１１】
カメラ２００は、撮影レンズ３００が着脱可能に取り付けられるように構成されている。なお、本実施形態では、カメラ２００に撮影レンズ３００が装着される場合について説明するが、カメラ２００には、撮影レンズ３００だけでなく、中間アダプタ等のアクセサリ（外部機器）が着脱可能に取り付けられてもよい。中間アダプタとは、例えば、焦点距離を変更するためのエクステンダ等である。
【００１２】
カメラ２００は、カメラマウント２０１、モード選択ダイヤル２０２、撮影パラメータ選択ダイヤル２０３およびレリーズボタン２０４を有する。カメラマウント２０１は、樹脂材料から構成され、撮影レンズ３００をカメラ２００に取り付ける際に使用される。
【００１３】
マウントキャップ１００は、撮影レンズ３００がカメラ２００に装着されていない場合にカメラマウント２０１に取り付けられる。マウントキャップ１００は、カメラマウント２０１の保護を行うとともに、カメラ２００内部へのゴミの侵入を防止する。
【００１４】
撮影レンズ３００は、被写体光束を不図示の撮像素子の撮像面に結像させる光学系である。撮影レンズ３００は、カメラマウント２０１との結合部であるレンズマウント３０１、およびレンズ３０２を含むレンズ群を有する。レンズマウント３０１は、レンズフランジ３０３ａ，３０３ｂ，３０３ｃおよび摺動面３０４によって構成されている。レンズフランジ３０３ａ，３０３ｂ，３０３ｃは、撮影レンズ３００をカメラ２００に装着する場合に後述するマウントスプリング４０１によって−Ｚ方向へ付勢される。摺動面３０４は、カメラマウント２０１の後述する内側レールおよび外側レールに当接する。
【００１５】
図４は、カメラマウント２０１の分解状態を示す図である。カメラマウント２０１には、固定ビス４０２ａ〜４０２ｆによって、マウントスプリング（付勢手段）４０１が互いに重なるように固定されている。
【実施例１】
【００１６】
図５から図９を参照して、本実施例の構成について説明する。
【００１７】
図５は、カメラマウント２０１の正面図である。カメラマウント２０１には、平面精度を向上させるため、レンズマウント３０１の摺動面３０４に当接する凸形状である、内側レール（第１面）５０１および外側レール（第２面）５０２がマウント面として形成されている。内側レール５０１と外側レール５０２との間には、内側レール５０１および外側レール５０２に対して凹となる凹部５０３が形成されている。また、カメラマウント２０１は、撮影レンズ３００がカメラ２００に装着される場合に、それぞれレンズフランジ３０３ａ，３０３ｂ，３０３ｃに対向するカメラフランジ５０４ａ，５０４ｂ，５０４ｃを有する。カメラフランジ５０４ａ，５０４ｂ，５０４ｃは、撮影レンズ３００にマウントスプリング４０１の付勢力よりも強い力が働いた場合に、撮影レンズ３００がカメラ２００から脱落するのを防止する。
【００１８】
図６は、マウントスプリング４０１の正面図である。マウントスプリング４０１は、バネ性を有するステンレス鋼等の板金材料で構成されている。マウントスプリング４０１には、バネ性を発揮する部分として、押圧部６０１ａ，６０１ｂ，６０１ｃが形成されている。押圧部６０１ａ，６０１ｂ，６０１ｃはそれぞれ、レンズフランジ３０３ａ，３０３ｂ，３０３ｃを−Ｚ方向へ付勢することによって、撮影レンズ３００のＺ方向における位置を規制する。押圧部６０１ａの両端には、当接部６０２ａ，６０３ａが形成されている。押圧部６０１ｂの両端には、当接部６０２ｂ，６０３ｂが形成されている。押圧部６０１ｃの両端には、当接部６０２ｃ，６０３ｃが形成されている。当接部６０２ａ，６０２ｂ，６０２ｃ，６０３ａ，６０３ｂ，６０３ｃは、押圧部６０１ａ，６０１ｂ，６０１ｃがレンズフランジ３０３ａ，３０３ｂ，３０３ｃを付勢する際に、カメラマウント２０１に当接する。
【００１９】
図７は、カメラマウント２０１の清掃対象範囲を示す図である。清掃対象範囲は、内側レール５０１に形成されている。清掃対象範囲７０１は、マウントスプリング４０１の当接部６０２ａから当接部６０３ａまでの間の位相と略同一位相である。清掃対象範囲７０２は、マウントスプリング４０１の当接部６０２ｂから当接部６０３ｂまでの間の位相と略同一位相である。清掃対象範囲７０３は、マウントスプリング４０１の当接部６０２ｃから当接部６０３ｃまでの間の位相と略同一位相である。撮影レンズ３００をカメラ２００に装着する場合、まず、撮影レンズ３００を、あらかじめ決められた位相状態でレンズマウント３０１の摺動面３０４がカメラマウント２０１の内側レール５０１および外側レール５０２に当接するまでカメラ２００に挿入する。その後、撮影レンズ３００を＋θ方向へ回転させると、押圧部６０１ａ，６０１ｂ，６０１ｃがそれぞれ、レンズフランジ３０３ａ，３０３ｂ，３０３ｃを付勢し、撮影レンズ３００はカメラ２００に固定装着される。撮影レンズ３００がカメラ２００に装着された状態において、当接部６０２ａ，６０２ｂ，６０２ｃ，６０３ａ，６０３ｂ，６０３ｃがカメラマウント２０１を＋Ｚ方向へ押圧する。そのため、内側レール５０１の当接部６０２ａ，６０２ｂ，６０２ｃ，６０３ａ，６０３ｂ，６０３ｃの近傍は、＋Ｚ方向へ微小に変形する。これにより、撮影レンズ３００がカメラ２００に装着された状態において、清掃対象範囲７０１，７０２，７０３は＋Ｚ方向へ微小に変形する。そのため、清掃対象範囲７０１，７０２，７０３と摺動面３０４との摩擦抵抗が大きくなり、清掃対象範囲７０１，７０２，７０３において削れカス（塵埃）が発生する。
【００２０】
図８は、マウントキャップ１００の背面図である。マウントキャップ１００は、清掃部（接触部）８０１，８０２，８０３を有する。清掃部８０１，８０２，８０３はそれぞれ、マウントキャップ１００がカメラ２００に装着される際に移動する方向に沿って径方向外側から径方向内側に傾斜する傾斜面８０４，８０５，８０６を有する。清掃部８０１，８０２，８０３は、マウントキャップ１００がカメラ２００に装着される際に、内側レール５０１に当接しながら移動する。
【００２１】
図９は、マウントキャップ１００がカメラ２００に装着される際に、カメラマウント２０１を清掃する方法（カメラマウント２０１から塵埃を除去する方法）を説明する図である。マウントキャップ１００をカメラ２００に装着する場合、図９（ａ）の状態から図９（ｂ）の状態となるように、マウントキャップ１００を＋θ方向へ回転させる。このとき、清掃部８０１，８０２，８０３は、内側レール５０１に当接しながら清掃対象範囲７０１，７０２，７０３上を移動する。これにより、清掃対象範囲７０１，７０２，７０３上に付着していた削れカスは、清掃部８０１，８０２，８０３によって、内側レール５０１の外周側に設けられている凹部５０３に掃き出される。撮影レンズ３００をカメラ２００に装着する場合、凹部５０３はレンズマウント３０１に接触しない。そのため、凹部５０３に溜まった削れカスは、レンズマウント３０１とカメラマウント２０１との間に挟まれず、カメラマウント２０１に固着することもない。なお、本実施例では、削れカスを凹部５０３に掃き出すために清掃部８０１，８０２，８０３に傾斜面を設けているが、本発明はこれに限定されない。清掃部８０１，８０２，８０３には、削れカスを凹部５０３に掃き出すことが可能な掃き出し面が設けられていればよい。
【００２２】
以上説明したように、本実施例の構成によれば、レンズ着脱時の操作感が悪化することを抑制することが可能となり、効果の持続性も高くすることが可能である。
【００２３】
なお、清掃部８０１，８０２，８０３を、例えば、ゴムのような弾性部材で構成することで、内側レール５０１に確実に当接させることができるため、削れカスの除去能力をさらに向上させることが可能となる。
（変形例１）
以下、図１０および図１１を参照して、実施例１の変形例の構成について説明する。
【００２４】
図１０は、マウントキャップ１００の背面図である。マウントキャップ１００は、カメラマウント２０１に当接する接触面９００，９０１を有する。マウントキャップ１００をカメラ２００に装着される際に、接触面９００，９０１はそれぞれ内側レール５０１および外側レール５０２に当接しながら移動する。
【００２５】
マウントキャップ１００は、それぞれ帯電特性の異なる第１の材質と第２の材質から構成される。第２の材質の帯電特性は、カメラマウント２０１の帯電特性とも異なる。本変形例では、第１の材質とカメラマウント２０１の材質は、同一であり、例えば、帯電列のプラス側に帯電しやすいポリカーボネート樹脂である。第２の材質は、接触面（第１の接触面）９００に形成された接触部９００Ａに使用され、例えば、帯電列のマイナス側に帯電しやすいフッ化炭素樹脂である。なお、本変形例では、第１の材質とカメラマウント２０１の材質を同一としているが、異なっていてもよい。
【００２６】
接触面９００は、接触部９００Ａに対して凹となる退避部９３０，９３１，９３２を有する。マウントキャップ１００がカメラマウント２０１に装着されている状態において、退避部９３０，９３１，９３２は、カメラマウント２０１の清掃対象範囲７０１，７０２，７０３に対向している。
【００２７】
図１１は、マウントキャップ１００がカメラ２００に装着される際に、カメラマウント２０１を清掃する方法を説明する図である。マウントキャップ１００をカメラ２００に装着する場合、図１１（ａ）の状態から図１１（ｂ）の状態となるように、マウントキャップ１００を＋θ方向へ回転させる。このとき、接触部９００Ａは内側レール５０１に当接し摺動することで、静電気が発生する。そのため、第２の材質は、マイナスに帯電される。一方、清掃対象範囲７０１，７０２，７０３上に付着している削れカスは、プラスに帯電され、マイナスに帯電されている退避部９３０，９３１，９３２に引き寄せられる。これにより、削れカスはマウントキャップ１００に付着するため、削れカスがカメラマウント２０１に溜まって固着することを防ぐことができる。
【００２８】
また、カメラマウント２０１の色味とマウントキャップ１００の第２の材質の色味は異ならせることが望ましい。例えば、カメラマウント２０１の色味は黒色に近い暗色である場合、マウントキャップ１００の第２の材質の色味は白色または明色にすればよい。これにより、カメラマウント２０１に削れカスが付着していることが容易に認識できるため、ユーザーに清掃を促すことができる。
【００２９】
マウントキャップ１００は、カメラマウント２０１に対して径方向へガタつきをもっている。本変形例では、接触面９００の幅は、内側レール５０１の幅よりも広い。これにより、マウントキャップ１００の取り付け状態によらず、接触面９００は内側レール５０１に接触することが可能である。
【００３０】
以上説明したように、本変形例の構成によれば、レンズ着脱時の操作感が悪化することを抑制することが可能となり、効果の持続性も高くすることが可能である。
【実施例２】
【００３１】
図１２および図１３を参照して、本実施例の構成について説明する。実施例１と共通する部分については同じ符号を付し、説明を説明する。
【００３２】
図１２は、カメラマウント２０１の説明図である。図１２（ａ）は、カメラマウント２０１の正面図である。図１２（ｂ）は、図１２（ａ）のＡ部の拡大斜視図である。カメラマウント２０１の周方向に沿って設けられた勘合部２１０には、撮影レンズ３００がカメラ２００に装着された場合のガタツキを抑制するために、径方向へ凸の複数の凸部２１０ａが設けられている。
【００３３】
図１３は、マウントキャップ１０００の説明図である。図１３（ａ）は、マウントキャップ１０００の背面図である。図１３（ｂ）は、図１３（ａ）のＢ部の拡大斜視図である。マウントキャップ１０００は、実施例１と同様に、カメラマウント２０１に当接する接触面９００，９０１を有する。マウントキャップ１０００がカメラ２００に装着される際に、接触面９００，９０１はそれぞれ、内側レール５０１および外側レール５０２に当接しながら移動する。また、マウントキャップ１０００は、凸部２１０ａに当接する接触部（第２の接触部）１１００Ａが形成された接触面（第２の接触面）１１００を有する。
【００３４】
マウントキャップ１０００は、それぞれ帯電特性の異なる第１の材質と第２の材質から構成される。第２の材質の帯電特性は、カメラマウント２０１の帯電特性とも異なる。本実施例では、第１の材質とカメラマウント２０１の材質は、同一であり、例えば、帯電列のプラス側に帯電しやすいポリカーボネート樹脂である。第２の材質は、接触面に形成された接触部９００Ａおよび接触部１１００Ａに使用され、例えば、帯電列のマイナス側に帯電しやすいフッ化炭素樹脂である。なお、本変形例では、第１の材質とカメラマウント２０１の材質を同一としているが、異なっていてもよい。
【００３５】
接触面９００は、接触部９００Ａに対して凹となる退避部９３０，９３１，９３２を有する。また、接触面１１００は、接触部１１００Ａに対して凹となる退避部１２００を有する。マウントキャップ１０００がカメラマウント２０１に装着されている状態において、退避部９３０，９３１，９３２は、カメラマウント２０１の清掃対象範囲７０１，７０２，７０３に対向している。また、退避部１２００は、マウント２０１の凸部２１０ａに対向している。
【００３６】
マウントキャップ１０００をカメラ２００に装着する場合、接触部９００Ａは内側レール５０１に当接し摺動することで、静電気が発生する。そのため、接触部９００Ａは、マイナスに帯電される。清掃対象範囲７０１，７０２，７０３上に付着している削れカスは、プラスに帯電され、マイナスに帯電されている退避部９３０，９３１，９３２に引き寄せられる。また、接触部１１００Ａは凸部２１０ａに当接し摺動することで、静電気が発生する。これにより、接触部１１００Ａは、マイナスに帯電される。凸部２１０ａ上に付着している削れカスは、プラスに帯電され、マイナスに帯電されている退避部１２００に引き寄せられる。これにより、削れカスはマウントキャップ１０００に付着するため、削れカスがカメラマウント２０１に溜まって固着することを防ぐことができる。
【００３７】
以上説明したように、本実施例の構成によれば、レンズ着脱時の操作感が悪化することを抑制することが可能となり、効果の持続性も高くすることが可能である。
【００３８】
以上、本発明の好ましい実施形態について説明したが、本発明はこれらの実施形態に限定されず、その要旨の範囲内で種々の変形及び変更が可能である。
【符号の説明】
【００３９】
１００                  マウントキャップ（カメラアクセサリー）
２００                  カメラ（撮像装置）
２０１                  カメラマウント（マウント）
３００                  撮影レンズ（外部機器）
７０１，７０２，７０３  清掃対象範囲
８０１，８０２，８０３  清掃部（接触部）
９００Ａ                接触部
【図１】
2020046613.tif 000003
【図２】
2020046613.tif 000004
【図３】
2020046613.tif 000005
【図４】
2020046613.tif 000006
【図５】
2020046613.tif 000007
【図６】
2020046613.tif 000008
【図７】
2020046613.tif 000009
【図８】
2020046613.tif 000010
【図９】
2020046613.tif 000011
【図１０】
2020046613.tif 000012
【図１１】
2020046613.tif 000013
【図１２】
2020046613.tif 000014
【図１３】
2020046613.tif 000015